(57)【特許請求の範囲】
【請求項１】
印刷処理を実行する印刷実行部と、
受信したコンテンツデータを記憶する受信データ記憶手段と、
ネットワークを介して配信サーバ及び印刷管理サーバに接続された制御手段とを備えたコンテンツ印刷装置であって、
前記コンテンツデータには、印刷上限部数に関するメタデータが記録されており、
前記制御手段が、
前記配信サーバから印刷を行なうコンテンツデータを受信し、前記受信データ記憶手段に格納する手段と、
前記コンテンツデータの受信に応じて、前記受信データ記憶手段に格納されたコンテンツデータを用いて、前記印刷実行部において媒体への印刷処理を実行する手段と、
前記コンテンツデータ毎に前記印刷処理を行なった部数を記録する手段と、
前記印刷上限部数に達した場合には、前記印刷処理の実行を停止する手段と、
前記印刷実行部において印刷処理を完了した前記コンテンツデータに関する印刷ログを前記印刷管理サーバに送信する送信手段と
を備えたことを特徴とするコンテンツ印刷装置。
【請求項２】
印刷処理を実行する印刷実行部と、
受信したコンテンツデータを記憶する受信データ記憶手段と、
ネットワークを介して配信サーバ及び印刷管理サーバに接続された制御手段とを備えたコンテンツ印刷装置であって、
前記コンテンツデータには、コピー抑止情報に関するメタデータが記録されており、
前記制御手段が、
前記配信サーバから印刷を行なうコンテンツデータを受信し、前記受信データ記憶手段に格納する手段と、
前記コンテンツデータの受信に応じて、前記受信データ記憶手段に格納されたコンテンツデータを用いて、前記印刷実行部において前記コピー抑止情報に基づくコピー抑止情報
を埋め込んだ媒体への印刷処理を実行する手段と、
前記印刷実行部において印刷処理を完了した前記コンテンツデータに関する印刷ログを前記印刷管理サーバに送信する送信手段と
を備えたことを特徴とするコンテンツ印刷装置。
【請求項３】
印刷処理を実行する印刷実行部と、
受信したコンテンツデータを記憶する受信データ記憶手段と、
ネットワークを介して配信サーバ及び印刷管理サーバに接続された制御手段とを備えたコンテンツ印刷装置であって、
前記コンテンツデータには、メタデータが記録されており、
前記制御手段が、
前記配信サーバから印刷を行なうコンテンツデータを受信し、前記受信データ記憶手段に格納する手段と、
前記コンテンツデータの受信に応じて、前記受信データ記憶手段に格納されたコンテンツデータを用いて、前記印刷実行部において媒体への印刷処理を実行する手段と、
前記印刷実行部において印刷処理を完了した前記コンテンツデータに関する印刷ログを前記印刷管理サーバに送信する送信手段と、
前記メタデータにおいて、先に送信したコンテンツデータの識別情報を含めた先行コンテンツ情報が記録されたコンテンツデータを受信した場合には、前記受信データ記憶手段に格納された先行コンテンツ情報のコンテンツデータを削除する手段と
を備えたことを特徴とするコンテンツ印刷装置。
【請求項４】
印刷処理を実行する印刷実行部と、
受信したコンテンツデータを記憶する受信データ記憶手段と、
ネットワークを介して配信サーバ及び印刷管理サーバに接続された制御手段とを備えたコンテンツ印刷装置であって、
前記コンテンツデータには、メタデータが記録されており、
前記制御手段が、
前記配信サーバから印刷を行なうコンテンツデータを受信し、前記受信データ記憶手段に格納する手段と、
前記コンテンツデータの受信に応じて、前記受信データ記憶手段に格納されたコンテンツデータを用いて、前記印刷実行部において媒体への印刷処理を実行する手段と、
前記印刷実行部において印刷処理を完了した前記コンテンツデータに関する印刷ログを前記印刷管理サーバに送信する送信手段と、
前記メタデータにおいて、後から送信される後続コンテンツデータの容量情報を含めた後続コンテンツ情報が記録されたコンテンツデータを受信した場合には、前記受信データ記憶手段の残容量を算出し、
前記後続コンテンツ情報の容量情報及び残容量に応じて、前記後続コンテンツデータを蓄積できるように前記受信データ記憶手段に蓄積されたコンテンツデータの容量の削減処理を実行する手段と
を備えたことを特徴とするコンテンツ印刷装置。
【請求項５】
印刷処理を実行する印刷実行部と、
受信したコンテンツデータを記憶する受信データ記憶手段と、
ネットワークを介してコンテンツ配信サーバ及び印刷管理サーバに接続された制御手段とを備えたコンテンツ印刷装置を用いて、コンテンツの印刷処理を行なうためのプログラムであって、
前記コンテンツデータには、印刷上限部数に関するメタデータが記録されており、
前記制御手段を、
前記コンテンツ配信サーバから印刷を行なうコンテンツデータを受信し、前記受信デー
タ記憶手段に蓄積する手段、
前記コンテンツデータの受信に応じて、前記受信データ記憶手段に格納されたコンテンツデータを用いて、前記印刷実行部において媒体への印刷処理を実行する手段、
前記コンテンツデータ毎に前記印刷処理を行なった部数を記録する手段、
前記印刷上限部数に達した場合には、前記印刷処理の実行を停止する手段、及び
前記印刷実行部において印刷処理を完了した前記コンテンツデータに関する印刷ログを前記印刷管理サーバに送信する送信手段
として機能させることを特徴とするコンテンツ印刷プログラム。
【請求項６】
印刷処理を実行する印刷実行部と、
受信したコンテンツデータを記憶する受信データ記憶手段と、
ネットワークを介してコンテンツ配信サーバ及び印刷管理サーバに接続された制御手段とを備えたコンテンツ印刷装置を用いて、コンテンツの印刷処理を行なうためのプログラムであって、
前記コンテンツデータには、コピー抑止情報に関するメタデータが記録されており、
前記制御手段を、
前記コンテンツ配信サーバから印刷を行なうコンテンツデータを受信し、前記受信データ記憶手段に蓄積する手段、
前記コンテンツデータの受信に応じて、前記受信データ記憶手段に格納されたコンテンツデータを用いて、前記印刷実行部において、前記コピー抑止情報に基づくコピー抑止情報を埋め込んだ媒体への印刷処理を実行する手段、
前記印刷実行部において印刷処理を完了した前記コンテンツデータに関する印刷ログを前記印刷管理サーバに送信する送信手段
として機能させることを特徴とするコンテンツ印刷プログラム。
【請求項７】
印刷処理を実行する印刷実行部と、
受信したコンテンツデータを記憶する受信データ記憶手段と、
ネットワークを介してコンテンツ配信サーバ及び印刷管理サーバに接続された制御手段とを備えたコンテンツ印刷装置を用いて、コンテンツの印刷処理を行なうためのプログラムであって、
前記コンテンツデータには、メタデータが記録されており、
前記制御手段を、
前記コンテンツ配信サーバから印刷を行なうコンテンツデータを受信し、前記受信データ記憶手段に蓄積する手段、
前記コンテンツデータの受信に応じて、前記受信データ記憶手段に格納されたコンテンツデータを用いて、前記印刷実行部において、媒体への印刷処理を実行する手段、
前記印刷実行部において印刷処理を完了した前記コンテンツデータに関する印刷ログを前記印刷管理サーバに送信する送信手段、及び
前記メタデータにおいて、先に送信したコンテンツデータの識別情報を含めた先行コンテンツ情報が記録されたコンテンツデータを受信した場合には、前記受信データ記憶手段に格納された先行コンテンツ情報のコンテンツデータを削除する手段
として機能させることを特徴とするコンテンツ印刷プログラム。
【請求項８】
印刷処理を実行する印刷実行部と、
受信したコンテンツデータを記憶する受信データ記憶手段と、
ネットワークを介してコンテンツ配信サーバ及び印刷管理サーバに接続された制御手段とを備えたコンテンツ印刷装置を用いて、コンテンツの印刷処理を行なうためのプログラムであって、
前記コンテンツデータには、メタデータが記録されており、
前記制御手段を、
前記コンテンツ配信サーバから印刷を行なうコンテンツデータを受信し、前記受信データ記憶手段に蓄積する手段、
前記コンテンツデータの受信に応じて、前記受信データ記憶手段に格納されたコンテンツデータを用いて、前記印刷実行部において媒体への印刷処理を実行する手段、
前記印刷実行部において印刷処理を完了した前記コンテンツデータに関する印刷ログを前記印刷管理サーバに送信する送信手段、及び
前記メタデータにおいて、後から送信される後続コンテンツデータの容量情報を含めた後続コンテンツ情報が記録されたコンテンツデータを受信した場合には、前記受信データ記憶手段の残容量を算出し、
前記後続コンテンツ情報の容量情報及び残容量に応じて、前記後続コンテンツデータを蓄積できるように前記受信データ記憶手段に蓄積されたコンテンツデータの容量の削減処理を実行する手段
として機能させることを特徴とするコンテンツ印刷プログラム。
【請求項９】
印刷処理を実行する印刷実行部と、受信したコンテンツデータを記憶する受信データ記憶手段と、制御手段とを備えたコンテンツ印刷装置と、
ネットワークを介して、前記コンテンツ印刷装置に接続されたコンテンツ配信サーバ及び印刷管理サーバとからなるコンテンツ管理システムであって、
前記コンテンツデータには、印刷上限部数に関するメタデータが記録されており、
前記コンテンツ印刷装置の制御手段は、
前記コンテンツ配信サーバから印刷を行なうコンテンツデータを受信し、前記受信データ記憶手段に蓄積する手段と、
前記コンテンツデータの受信に応じて、前記受信データ記憶手段に格納されたコンテンツデータを用いて、前記印刷実行部において媒体への印刷処理を実行する手段と、
前記コンテンツデータ毎に前記印刷処理を行なった部数を記録する手段と、
前記印刷上限部数に達した場合には、前記印刷処理の実行を停止する手段と、
前記印刷実行部において印刷処理を完了した前記コンテンツデータに関する印刷ログを前記印刷管理サーバに送信する送信手段とを備え、
前記印刷管理サーバは、前記コンテンツ印刷装置から取得した印刷ログに基づいて課金処理を実行することを特徴とするコンテンツ管理システム。
【請求項１０】
印刷処理を実行する印刷実行部と、受信したコンテンツデータを記憶する受信データ記憶手段と、制御手段とを備えたコンテンツ印刷装置と、
ネットワークを介して、前記コンテンツ印刷装置に接続されたコンテンツ配信サーバ及び印刷管理サーバとからなるコンテンツ管理システムであって、
前記コンテンツデータには、コピー抑止情報に関するメタデータが記録されており、
前記コンテンツ印刷装置の制御手段は、
前記コンテンツ配信サーバから印刷を行なうコンテンツデータを受信し、前記受信データ記憶手段に蓄積する手段と、
前記コンテンツデータの受信に応じて、前記受信データ記憶手段に格納されたコンテンツデータを用いて、前記印刷実行部において前記コピー抑止情報に基づくコピー抑止情報を埋め込んだ媒体への印刷処理を実行する手段と、
前記印刷実行部において印刷処理を完了した前記コンテンツデータに関する印刷ログを前記印刷管理サーバに送信する送信手段とを備え、
前記印刷管理サーバは、前記コンテンツ印刷装置から取得した印刷ログに基づいて課金処理を実行することを特徴とするコンテンツ管理システム。
【請求項１１】
印刷処理を実行する印刷実行部と、受信したコンテンツデータを記憶する受信データ記憶手段と、制御手段とを備えたコンテンツ印刷装置と、
ネットワークを介して、前記コンテンツ印刷装置に接続されたコンテンツ配信サーバ及
び印刷管理サーバとからなるコンテンツ管理システムであって、
前記コンテンツデータには、メタデータが記録されており、
前記コンテンツ印刷装置の制御手段は、
前記コンテンツ配信サーバから印刷を行なうコンテンツデータを受信し、前記受信データ記憶手段に蓄積する手段と、
前記コンテンツデータの受信に応じて、前記受信データ記憶手段に格納されたコンテンツデータを用いて、前記印刷実行部において媒体への印刷処理を実行する手段と、
前記印刷実行部において印刷処理を完了した前記コンテンツデータに関する印刷ログを前記印刷管理サーバに送信する送信手段と、
前記メタデータにおいて、先に送信したコンテンツデータの識別情報を含めた先行コンテンツ情報が記録されたコンテンツデータを受信した場合には、前記受信データ記憶手段に格納された先行コンテンツ情報のコンテンツデータを削除する手段とを備え、
前記印刷管理サーバは、前記コンテンツ印刷装置から取得した印刷ログに基づいて課金処理を実行することを特徴とするコンテンツ管理システム。
【請求項１２】
印刷処理を実行する印刷実行部と、受信したコンテンツデータを記憶する受信データ記憶手段と、制御手段とを備えたコンテンツ印刷装置と、
ネットワークを介して、前記コンテンツ印刷装置に接続されたコンテンツ配信サーバ及び印刷管理サーバとからなるコンテンツ管理システムであって、
前記コンテンツデータには、メタデータが記録されており、
前記コンテンツ印刷装置の制御手段は、
前記コンテンツ配信サーバから印刷を行なうコンテンツデータを受信し、前記受信データ記憶手段に蓄積する手段と、
前記コンテンツデータの受信に応じて、前記受信データ記憶手段に格納されたコンテンツデータを用いて、前記印刷実行部において媒体への印刷処理を実行する手段と、
前記印刷実行部において印刷処理を完了した前記コンテンツデータに関する印刷ログを前記印刷管理サーバに送信する送信手段と、
前記メタデータにおいて、後から送信される後続コンテンツデータの容量情報を含めた後続コンテンツ情報が記録されたコンテンツデータを受信した場合には、前記受信データ記憶手段の残容量を算出し、
前記後続コンテンツ情報の容量情報及び残容量に応じて、前記後続コンテンツデータを蓄積できるように前記受信データ記憶手段に蓄積されたコンテンツデータの容量の削減処理を実行する手段とを備え、
前記印刷管理サーバは、前記コンテンツ印刷装置から取得した印刷ログに基づいて課金処理を実行することを特徴とするコンテンツ管理システム。
【発明の詳細な説明】
【技術分野】
【０００１】
本発明は、ネットワークを介して配信されたコンテンツの印刷を管理するためのコンテンツ印刷装置、コンテンツ印刷プログラム及びコンテンツ管理システムに関する。
【背景技術】
【０００２】
今日、新聞等の紙媒体のメディアは、人手によって配達されている。また、ニュース等の情報については、電子メール等を介して配信される場合もある。インターネットを介して、所定のニュースサイトにアクセスして、ニュース情報等を取得することも可能である。このように、利用者によって、コンテンツの入手方法や利用形態は多様であり、また、希望するコンテンツの種類も異なる。
【０００３】
そこで、新聞記事情報や折り込み広告情報のうち、利用者が必要とする情報のみを通信ネットワークを通じて提供するための新聞記事情報や折り込み広告情報の配布システムが検討されている（例えば、特許文献１を参照。）。この文献に記載された技術では、新聞記事情報や折り込み広告情報を建物内の各部屋に配信するサーバ装置を用いる。また、サーバ装置から通信ネットワークを通じて配信される情報を受信する受信手段と情報の印刷要求を送信する送信手段とを備えた情報端末装置が、建物の室内あるいは共用スペースに設置される。そして、画像形成装置は、情報端末装置より送信された印刷要求に対応する情報を受信して印刷する。
【０００４】
また、新聞、雑誌等の印刷物のページイメージの閲覧において課金するための課金システムも検討されている（例えば、特許文献２を参照。）。この文献に記載された技術では、インターネットによりサーバから配信された新聞、雑誌等の印刷物のページイメージを、インターネット端末装置においてディスプレイに制限的に表示する。利用者が制限を解除するための操作を行なったときに、課金条件を満たすように課金する。
【０００５】
更に、新聞，雑誌，ポスター等の紙媒体のメディアを配布するための技術も検討されている（例えば、特許文献３を参照。）。この文献に記載された技術では、複写機により、デジタル放送またはアナログ放送によって配信された配信情報を受信する。そして、複写機は、受信した配信情報を記憶し、配信情報に基づいて記録紙上に画像を形成する。
【発明の概要】
【発明が解決しようとする課題】
【０００６】
しかし、利用者自身が、所定のサイトにアクセスして情報を取得する場合には、サイトへのアクセスタイミングによっては、タイムリーな情報を入手できないことがある。特許文献１に記載された技術では、情報端末装置においても印刷要求を送信する必要があり、要求をしなければ情報を入手できない。
【０００７】
また、課金を行なう場合には、ログインのために利用者識別子（ユーザＩＤ）やパスワードを用いる必要があるが、ログインが面倒なこともある。特許文献２に記載された技術においても、制限された表示を確認した上で、利用者が制限を解除するための操作を行なう必要があり、本来の情報を入手するまでの手続が面倒である。
【０００８】
一方、パソコン等のコンピュータ端末に電子データをダウンロードさせる場合、ダウンロード後の電子データが譲渡されたり、加工されたりする可能性がある。
また、特許文献３に記載された技術では、複写機に受信アンテナや受信処理部等のハードウエアを設ける必要がある。更に、デジタル放送またはアナログ放送の受信状況によっては、的確な配信が実現できないこともある。また、放送技術を用いる場合には、各利用者の複写機において、それぞれのニーズや契約条件に応じた印刷処理や課金管理の実施が困難である。
【０００９】
本発明は、上記課題を解決するためになされたものであり、その目的は、ネットワークを介して配信されたコンテンツの印刷を的確に把握し、管理するためのコンテンツ印刷装置、コンテンツ印刷プログラム及びコンテンツ管理システムを提供することにある。
【課題を解決するための手段】
【００１０】
請求項１，５，９に記載の発明によれば、印刷処理を実行する印刷実行部と、受信したコンテンツデータを記憶する受信データ記憶手段と、ネットワークを介してコンテンツ配信サーバ及び印刷管理サーバに接続された制御手段とを備えたコンテンツ印刷装置を用いる。前記コンテンツデータには、印刷上限部数に関するメタデータが記録されており、前記制御手段が、前記コンテンツ配信サーバから印刷を行なうコンテンツデータを受信し、前記受信データ記憶手段に蓄積し、前記コンテンツデータの受信に応じて、前記受信データ記憶手段に格納されたコンテンツデータを用いて、前記印刷実行部において媒体への印刷処理を実行し、前記コンテンツデータ毎に前記印刷処理を行なった部数を記録し、前記印刷上限部数に達した場合には、前記印刷処理の実行を停止し、前記印刷実行部において印刷処理を完了した前記コンテンツデータに関する印刷ログを前記印刷管理サーバに送信することを要旨とする。これにより、新聞等のコンテンツデータを複写機等のコンテンツ印刷装置に配信し、コンテンツ印刷装置において自動印刷を行ない、印刷完了を条件にした課金管理を行なうことができる。
【００１１】
本発明によれば、コンテンツデータには、印刷条件についてのメタデータが記録されており、前記制御手段は、受信したコンテンツデータからメタデータを抽出し、前記メタデータに基づいて印刷処理を実行することを要旨とする。これにより、メタデータを用いて印刷制御を行なうことができる。
【００１３】
本発明によれば、メタデータとして、印刷上限部数に関するデータが記録されており、コンテンツデータ毎に印刷処理を行なった部数を記録し、前記印刷上限部数に達した場合
には、印刷処理の実行を停止することを要旨とする。これにより、コンテンツデータの内容に応じて、印刷上限を設定することができる。
【００１４】
請求項２，６，１０に記載の発明によれば、メタデータとして、コピー抑止情報が記録されており、前記コピー抑止情報に基づいて、コピー抑止情報を埋め込んだ媒体の印刷処理を実行することを要旨とする。これにより、コンテンツデータの内容に応じて、印刷された媒体のコピーを抑制することができる。
【００１７】
請求項３，７，１１に記載の発明によれば、制御手段は、メタデータにおいて、先に送信したコンテンツデータの識別情報を含めた先行コンテンツ情報が記録されたコンテンツデータを受信した場合には、前記受信データ記憶手段に格納された先行コンテンツ情報のコンテンツデータを削除することを要旨とする。これにより、例えば、号外のように状況によって内容が変化する先行情報を削除して、記憶容量を軽減することができる。
【００１８】
請求項４，８，１２に記載の発明によれば、制御手段は、メタデータにおいて、後から送信される後続コンテンツデータの容量情報を含めた後続コンテンツ情報が記録されたコンテンツデータを受信した場合には、前記受信データ記憶手段の残容量を算出し、前記後続コンテンツ情報の容量情報及び残容量に応じて、前記後続コンテンツデータを蓄積できるように前記受信データ記憶手段に蓄積されたコンテンツデータの容量の削減処理を実行することを要旨とする。これにより、後続情報の予測に基づいて記憶容量の管理を行なうことができる。
【発明の効果】
【００２０】
本発明によれば、ネットワークを介して配信されたコンテンツの印刷を的確に把握し、管理することが可能なコンテンツ印刷装置、コンテンツ印刷プログラム及びコンテンツ管理システムを提供することができる。更に、印刷処理の完了を検知した場合に印刷ログが送信されるため、印刷が完了してから始めて課金の対象にするので、安全・確実に課金を行なうことができる。
【図面の簡単な説明】
【００２１】
【図１】本発明の一実施形態のシステムの概略図。
【図２】第1の実施形態におけるプリンタの機能構成を説明する機能構成図。
【図３】第1の実施形態において用いられる（ａ）契約テーブル、（ｂ）配信テーブル、（ｃ）印刷履歴テーブル、をそれぞれ説明する説明図。
【図４】第1の実施形態において用いられる（ａ）価格テーブル、（ｂ）サービス利用料金データテーブル、（ｃ）コンテンツデータに付加されるメタデータ、をそれぞれ説明する説明図。
【図５】第1の実施形態の自動印刷処理の処理手順を説明する説明図。
【図６】第1の実施形態の自動印刷処理の処理手順を説明する説明図。
【図７】第1の実施形態の手動印刷処理の処理手順を説明する説明図。
【図８】第1の実施形態の手動印刷処理の処理手順を説明する説明図。
【図９】第1の実施形態のログ送信処理の処理手順を説明する説明図。
【図１０】第1の実施形態の保存管理処理の処理手順を説明する説明図。
【図１１】実施形態の処理手順の第１の変更例を説明する説明図。
【図１２】実施形態の処理手順の第２の変更例を説明する説明図。
【発明を実施するための形態】
【００２２】
以下、本発明を具体化した一実施形態を、図１〜図１０を用いて説明する。
図１に本発明の一実施形態におけるコンテンツ管理システムの概略図を示す。コンテンツ管理システムは、コンテンツ配信サーバ１０、コンテンツ印刷装置の一例としてのプリ
ンタ２０、印刷管理サーバの一例としてのログ管理サーバ３０が、ネットワークを介して接続されて構成される。このコンテンツ管理システムを用いて、コンテンツ配信サービスを提供する場合を想定する。
【００２３】
コンテンツ配信サーバ１０には、コンテンツ作成サーバＡからコンテンツデータが供給される。
このコンテンツ作成サーバＡは、コンテンツ作成者（例えば新聞社）が管理するコンピュータサーバである。このコンテンツ作成者は、政府や自治体の関係機関からニュースの素材となる各種情報を取得する。また、電気、ガス、水道等の公的事業者から各種情報を取得する。
【００２４】
そして、コンテンツ作成者は、取得した各種情報、広告、その他の情報をコンテンツに編集し、このコンテンツをコンテンツデータとしてコンテンツ作成サーバＡに登録する。コンテンツ作成サーバＡは登録されたコンテンツデータをコンテンツ配信サーバ１０に提供する。このコンテンツデータには、コンテンツＩＤ、コンテンツタイトル、コピー可否フラグ等のメタデータが付加される。
【００２５】
コンテンツ配信サーバ１０は、インターネットを介して、コンテンツ配信サービスの契約顧客である企業や個人宅に設置されたプリンタ２０にコンテンツデータを配信するサーバコンピュータである。このコンテンツ配信サーバ１０は、契約テーブル記憶部１２と、配信テーブル記憶部１３と、アドレス管理テーブルを記憶した図示しないアドレス管理記憶部とを備えている。
【００２６】
契約テーブル記憶部１２は、顧客との間でコンテンツ配信に関して締結された契約内容を特定するための契約テーブル１２０を記憶している。この契約テーブル１２０は、顧客との間で契約が締結された場合に新たに記録され、契約内容が変更された場合に更新される。この契約テーブル１２０によって、図３（ａ）に示すように、契約顧客（請求先）、機器ＩＤ、契約条件、料金に関するデータが関連付けられて管理されている。
【００２７】
「請求先」属性は、コンテンツデータが提供される顧客を特定するための識別子を示す。この場合、請求先としては、例えば顧客の会社名だけでなく部署等を特定する識別子が含まれている。
【００２８】
「機器ＩＤ」属性は、請求先に設置され、コンテンツデータが配信されるプリンタ２０を特定する識別子を示す。
「契約条件」属性は、プリンタ２０において印刷を行なう場合の契約条件を示す。この契約条件は、印刷上限部数、印刷条件、自動印刷要否フラグ、自動印刷部数、保存要否フラグ、保存期限に関するデータを含む。そして、この契約条件に含まれるデータは、メタデータとして、コンテンツデータに付加される。
【００２９】
「料金」属性は、顧客との契約に基づいて定められた料金体系を示す。この料金体系には、定額料金体系や従量加算料金体系がある。この料金体系を用いることにより、料金体系テーブル（図示せず）を用いて料金を算出することができる。
【００３０】
配信テーブル記憶部１３は、コンテンツデータを配信する顧客のプリンタ２０を特定するための配信テーブル１３０を記憶している。この配信テーブル１３０は、顧客との間で新たな契約が締結された場合に新たに記録され、契約内容が変更された場合に更新される。この配信テーブル１３０によって、図３（ｂ）に示すように、機器ＩＤ、コンテンツ種別ＩＤに関するデータが関連付けられて管理されている。
【００３１】
「機器ＩＤ」属性は、コンテンツデータが配信されるプリンタ２０を特定する識別子を示す。この機器ＩＤを用いて、機器ＩＤと当該機器のアドレスとを関連付けて管理するアドレス管理テーブルを参照して、プリンタ２０のアドレスを特定し、インターネットを介して、コンテンツデータを配信することができる。
【００３２】
「コンテンツ種別ＩＤ」属性は、コンテンツの種別、又はコンテンツの種別を特定するための識別子を示す。ここで、コンテンツの種別は、特定の新聞社の朝刊を示す新聞名や特定の新聞社の号外など示す単位を示し、プリンタ２０に配信される対象となるコンテンツデータを区別するために利用される。コンテンツの種別は、例えば、顧客との間で締結される配信サービスに関する契約を区別に用いても良いし、コンテンツデータを提供する提供元を区別に用いても良い。
【００３３】
アドレス管理記憶部には、機器のアドレスを管理するためのアドレス管理テーブルが記憶されている。このアドレス管理テーブルは、新たに送信する機器が増えた場合に記録される。このアドレス管理テーブルは、機器ＩＤと、各機器ＩＤに対応する機器のアドレス（例えば、ＩＰアドレス）とを含んで構成される。
【００３４】
配信テーブル１３０によって、コンテンツデータが配信されるプリンタ２０を特定するので、例えば、一台のプリンタ２０に複数の種別のコンテンツデータが提供される場合には、複数のコンテンツ種別ＩＤが当該プリンタ２０の機器ＩＤに関連付けられて管理されることになる。
【００３５】
ログ管理サーバ３０は、プリンタ２０においてコンテンツデータが印刷された履歴（ログ）である印刷履歴を管理するサーバコンピュータである。このログ管理サーバ３０は、印刷履歴データ記憶部３２を備えている。
【００３６】
印刷履歴データ記憶部３２は、各プリンタ２０におけるコンテンツデータの印刷履歴を管理するための印刷履歴テーブル３２０を記憶している。この印刷履歴テーブル３２０によって、図３（ｃ）に示すように、機器ＩＤ、コンテンツＩＤ及び印刷部数に関するデータが関連付けられて管理されている。この印刷履歴テーブル３２０は、各プリンタ２０から後述するログデータを取得した場合にログ管理サーバ３０によって更新される。なお、印刷履歴テーブル３２０は、課金が行なわれる期間毎にリセットされるように構成しても良い。
【００３７】
「機器ＩＤ」属性は、コンテンツデータを印刷したプリンタ２０を特定する識別子を示す。
「コンテンツＩＤ」属性は、コンテンツデータを特定するための識別子を示す。このコンテンツＩＤは、コンテンツ種別ＩＤと、その他の識別子（例えば、コンテンツ又はコンテンツＩＤの作成日等を特定する識別子）とから構成される。このコンテンツＩＤは、対応する機器ＩＤのプリンタ２０によって印刷されたコンテンツを特定するために利用される。なお、コンテンツＩＤは、上記のコンテンツ種別ＩＤを含めずに、上記の作成日等を特定する識別子と、更に別の識別子によって構成されてもよいし、上記コンテンツ種別ＩＤ及び作成日等を特定するし識別子の両方を含ますに、全く別の識別子によって構成されてもよい。
【００３８】
「印刷部数」属性は、コンテンツＩＤごとに集計された、機器ＩＤに対応するプリンタ２０で印刷されたコンテンツの量（部数）を示す。この部数は、課金が行なわれるとリセットされる。
【００３９】
印刷履歴テーブル３２０によってコンテンツＩＤと印刷部数が機器ＩＤに関連付けられ
て管理されているので、どのプリンタでどのコンテンツＩＤに属するコンテンツデータが何部印刷されたのかを把握することが可能となる。
【００４０】
課金管理サーバ４０は、コンテンツデータの印刷に関するサービス利用料金を算出し、サービス利用料金の徴収を行なうためのサーバコンピュータである。課金管理サーバ４０は、予め定められたタイミングで、ログ管理サーバ３０から印刷履歴データを取得する。そして、課金管理サーバ４０は、コンテンツデータの印刷に関するサービス利用料金を算出する。この課金管理サーバ４０は、契約テーブル記憶部４２、価格テーブル記憶部４３、サービス利用料金データ記憶部４４を備えている。なお、顧客から、各プリンタ２０の保守契約の代金とともにサービス利用料金を徴収するようにしてもよい。
【００４１】
契約テーブル記憶部４２は、図３（ａ）に示すように、顧客との間でコンテンツ配信に関して締結された契約テーブル４２０を記憶する。
価格テーブル記憶部４３は、コンテンツの価格を管理するための価格テーブル４３０を記憶している。この価格テーブル４３０は、顧客に提供されるコンテンツＩＤが決定された場合に登録される。この価格テーブル４３０によって、図４（ａ）に示すように、コンテンツＩＤ、コンテンツＩＤ又はコンテンツデータの作成日、コンテンツの提供元、コンテンツの価格ランク、及び１部のコンテンツを成すページ数に関するデータを関連付けられて管理される。なお、図４（ａ）の価格テーブルでは、コンテンツＩＤに関するデータごとに、コンテンツＩＤの作成日、コンテンツの提供元、コンテンツの価格ランク、１部のコンテンツを成すページ数に関するデータが関連付けられて管理されている。
【００４２】
「コンテンツＩＤ」属性は、コンテンツデータを特定する識別子を示す。このコンテンツＩＤには、コンテンツ種別ＩＤと、その他の識別子とから構成される。このコンテンツＩＤも図３（ｃ）のコンテンツＩＤと同様に、上記のコンテンツ種別ＩＤを含めずに、上記の作成日等を特定する識別子と、更に別の識別子によって構成されてもよいし、上記コンテンツ種別ＩＤ及び作成日等を特定する識別子の両方を含ますに、全く別の識別子によって構成されてもよい。
【００４３】
「作成日」属性は、このコンテンツＩＤが作成された作成日を示す。ただし、コンテンツＩＤの作成日に替えて、コンテンツデータの作成日としても良い。
「提供元」属性は、このコンテンツを作成したコンテンツ作成者（例えば、新聞社や出版社等）、または、コンテンツを提供したコンテンツ作成サーバＡを特定するための識別子を示す。この提供元に対して、サービス利用料金が支払われることとなる。
【００４４】
「価格ランク」属性は、コンテンツに定められた価格のランクを示す。この価格ランクを用いることにより、価格ランクと価格を関連付けられて管理される価格ランクテーブル（図示せず）を参照して、コンテンツの価格を特定することができる。
【００４５】
「ページ数」属性は、１部のコンテンツを成すページ数を示す。
価格テーブル４３０によって、コンテンツＩＤ又はコンテンツデータの作成日、コンテンツの提供元、コンテンツの価格ランク及び１部のコンテンツを成すページ数に関するデータが、コンテンツＩＤに関連付けられて管理されている。このため、コンテンツＩＤをキーとしてコンテンツＩＤ又はコンテンツデータの作成日、コンテンツの提供元、コンテンツの価格ランク及びコンテンツを成すページ数を特定することができる。
【００４６】
サービス利用料金データ記憶部４４は、請求先ごとに請求するサービス利用料金を管理するためのサービス利用料金テーブル４４０を記憶している。このサービス利用料金テーブル４４０は、顧客との間で締結された契約に基づいて生成される。このサービス利用料金テーブル４４０は、課金が行なわれた場合にリセットされ、新たに作り直される。サー
ビス利用料金テーブル４４０によって、図４（ｂ）に示すように、請求先、機器ＩＤ、コンテンツＩＤ、コンテンツの印刷部数、及び請求先ごとのサービス利用料金に関するデータが関連付けられて管理される。
【００４７】
「請求先」属性は、コンテンツデータが提供された顧客を特定するための識別子を示す。本実施形態においては、この「請求先」属性によって特定される顧客に対してサービス利用料金が請求される。
【００４８】
「機器ＩＤ」属性は、コンテンツの印刷に利用したプリンタ２０を特定する識別子を示す。
「コンテンツＩＤ」属性は、コンテンツを特定するための識別子を示す。このコンテンツＩＤは、コンテンツ種別ＩＤと、その他の識別子（例えば、コンテンツ又はコンテンツＩＤの作成日等を特定する識別子）とから構成される。
【００４９】
「印刷部数」属性は、コンテンツＩＤごとに集計された、機器ＩＤに対応するプリンタ２０で印刷されたコンテンツの量（部数）を示す。
「サービス利用料金」属性は、コンテンツ配信サービスの利用に伴い請求される料金を示す。
【００５０】
このサービス利用料金は、契約テーブル４２０の「請求先」属性に対応する「料金データ」属性に記録される定額料金体系や従量加算料金体系に基づいて算出される。例えば、請求先と締結されている料金体系の契約が従量加算料金体系である場合には、サービス利用料金は、所定の期間内に請求先に設置されたプリンタ２０が印刷したコンテンツの種別とコンテンツの量に応じて算出される。
【００５１】
図２は、プリンタの機能構成を説明する機能構成図である。
プリンタ２０は、印刷処理を実行する画像形成装置であり、例えば、複合機（ＭＦＰ：Multi Function Peripheral：ＭＦＰ）等を用いることができる。このプリンタ２０は、
インターネットを介して配信されたコンテンツデータを印刷するコンテンツ印刷装置である。このプリンタ２０は、図２に示すように、制御部２１、コンテンツ記憶部２２、ログ記憶部２４、操作パネル２５、印刷実行部２７を備える。
【００５２】
制御部２１は、制御手段（ＣＰＵ）、記憶手段（ＲＡＭ、ＲＯＭ等）、通信手段等を備える。この制御部２１は、印刷実行のための各種制御処理を実行するとともに、印刷状況の管理を行なう。プリンタ２０の制御部２１は、受信処理手段２１１、メタデータ取得手段２１２、印刷管理手段２１３、ログ管理手段２１４、コンテンツ管理手段２１５として機能する。
【００５３】
受信処理手段２１１は、コンテンツ配信サーバ１０からコンテンツデータを受信し、コンテンツ記憶部２２に記録する処理を実行する。
メタデータ取得手段２１２は、コンテンツデータに付加されたメタデータを取得する処理を実行する。
【００５４】
印刷管理手段２１３は、メタデータに基づいて、コンテンツデータの印刷を管理する処理を実行する。印刷管理手段２１３は、印刷されたコンテンツの部数をカウントするための印刷部数メモリを備えており、印刷を開始する場合には、この印刷部数メモリに記憶されたデータをリセットする。
【００５５】
ログ管理手段２１４は、印刷されたコンテンツのログデータを管理する処理を実行する。このログ管理手段２１４は、ログ送信処理を実行するログ送信時刻を決定するためのデ
ータを保持している。例えば、ログ管理手段２１４は、予め定められた周期（例えば「毎日」の定時）に基づいてログ送信時刻を設定する。
【００５６】
コンテンツ管理手段２１５は、コンテンツ記憶部２２に格納されたコンテンツデータを管理する。
コンテンツ記憶部２２は受信データ記憶手段として機能し、コンテンツ配信サーバ１０から受信したコンテンツデータを記録する。このコンテンツデータには、メタデータが付加されている。このメタデータには、図４（ｃ）に示すように、コンテンツタイトル、配信日時、印刷上限部数、印刷条件、コピー可否フラグ、自動印刷要否フラグ、自動印刷部数、保存要否フラグ、保存期限に関するデータが含まれる。更に、このメタデータには、コンテンツＩＤ及びページ数が含まれる。
【００５７】
「コンテンツタイトル」属性は、このコンテンツデータの名称（タイトル）を示す。
「配信日時」属性は、コンテンツデータの配信日時を示す。
「印刷上限部数」属性は、このコンテンツデータをプリンタ２０において印刷可能な最大部数（上限部数）を示す。
【００５８】
「印刷条件」属性は、このコンテンツデータのプリンタ２０での印刷を制御するための条件を示す。例えば、この印刷条件には、印刷される用紙サイズやカラーモード（カラー／モノクロ）、片面／両面印刷等が含まれる。例えば、見開きで新聞や週刊誌などと同じように見ることができるような新聞紙用集約両面印刷を行うようにしても良い。例えば、８頁の新聞紙を構成する場合には、２枚の印刷用紙にそれぞれ２枚集約の印刷を行い、かつ、１枚目の印刷用紙の表面の左側が８頁目、右側が１頁目となるように２枚集約印刷を行い、この１枚目の印刷用紙の裏面の左側が２頁目、右側が７頁目となるように２枚集約印刷を行う。更に、２枚目の印刷用紙の表面の左側が６頁目、右側が３頁目となるように２枚集約印刷を行い、この２枚目の印刷用紙の裏面の左側が４頁目、右側が５頁目となるように２枚集約印刷を行う。
【００５９】
「コピー可否フラグ」属性は、このコンテンツデータが印刷される際に作成される印刷データに、地模様を設定して印刷するか否かを判定するためのフラグを示す。
「自動印刷要否フラグ」属性は、このコンテンツデータをプリンタ２０において自動印刷するか否かを判定するためのフラグを示す。
【００６０】
「自動印刷部数」属性は、プリンタ２０において自動印刷される印刷部数を示す。この自動印刷部数には、上述した印刷上限部数よりも小さい値が設定される。
「保存要否フラグ」属性は、自動印刷が行なわれた後で、コンテンツデータをプリンタ２０内のメモリに保存するか否かを判定するためのフラグを示す。
【００６１】
「保存期限」属性は、プリンタ２０において、このコンテンツデータを保存する期限である保存期限を示す。
「コンテンツＩＤ」属性は、このコンテンツを特定するための識別子を示す。このコンテンツＩＤは、コンテンツ種別ＩＤと、その他の識別子とから構成される。
【００６２】
「ページ数」属性は、このコンテンツデータの１部を構成するページ数を示す。
ログ記憶部２４には、印刷されたコンテンツデータの履歴であるログデータを記憶する。本実施形態では、印刷されたコンテンツデータのコンテンツＩＤごとに印刷された部数に関するデータをログデータとして記憶する。
【００６３】
操作パネル２５は、タッチパネル方式のディスプレイを備え、ディスプレイへの表示により利用者に対する情報を提供するとともに、ディスプレイへのタッチ入力を検出するこ
とにより利用者からの指示情報を受信する。
【００６４】
印刷実行部２７は、制御部２１の印刷管理手段２１３からの指示に応じて、印刷ジョブにおいて指定された条件に基づいて、コンテンツデータの紙媒体への印刷処理を行なう。
次に、以上のように構成されたコンテンツ管理システムを用いて、コンテンツ配信サービスを行なう処理手順を説明する。コンテンツ配信処理、自動印刷処理（図５，６）、手動印刷処理（図７，８）、ログ送信処理（図９）、保存管理処理（図１０）、サービス利用料金徴収処理の順番に説明する。
【００６５】
（コンテンツ配信処理）
まず、コンテンツ配信処理について説明する。
コンテンツ配信サーバ１０は、コンテンツ作成サーバＡから、新たなコンテンツデータを取得する。このコンテンツデータには、メタデータとして、コンテンツＩＤ、コンテンツタイトルが付加されている。必要に応じてコピー可否フラグがメタデータとして更に付加される。
【００６６】
コンテンツ配信サーバ１０は、新たなコンテンツデータを取得すると、このコンテンツデータに付加されているメタデータに含まれるコンテンツＩＤのコンテンツ種別ＩＤをキーとして、配信テーブル記憶部１３に記録された配信テーブル１３０を参照して、コンテンツデータの配信先の機器ＩＤを特定する。更に、コンテンツ配信サーバ１０は、契約テーブル記憶部１２に記録された契約テーブル１２０を参照して、機器ＩＤに対応する契約条件を特定する。更に、コンテンツ配信サーバ１０は、特定した契約条件に含まれるデータを、コンテンツデータにメタデータとして付加する。更に、コンテンツ配信サーバ１０は、コンテンツを配信する時刻を配信日時として、このメタデータに含める。そして、コンテンツ配信サーバ１０は、このコンテンツデータのページ数を、コンテンツデータのコンテンツＩＤをキーとして価格テーブル４３０を参照して取得し、このメタデータに含める。この結果、コンテンツデータにはメタデータとして、コンテンツＩＤ、コンテンツタイトル、ページ数、コピー可否フラグと、配信日時、契約条件（印刷上限部数、印刷条件、自動印刷要否フラグ、自動印刷部数、保存要否フラグ、保存期限）が含まれる。
【００６７】
そして、コンテンツ配信サーバ１０は、特定した機器ＩＤに対応する機器のアドレスをアドレス管理テーブルから特定する。コンテンツ配信サーバ１０は、配信先である機器ＩＤのプリンタ２０に対して、コンテンツデータとコンテンツデータに付加されたメタデータを、特定した機器ＩＤに対応する機器のアドレスに対してプッシュ配信する。
【００６８】
（自動印刷処理）
次に、自動印刷処理について、図５，６を用いて説明する。
プリンタ２０においてコンテンツ印刷プログラムが起動されることにより、制御部２１は各手段として機能する。この場合、プリンタ２０の制御部２１の受信処理手段２１１は、プッシュ配信されたコンテンツデータと、コンテンツデータに付加されたメタデータとを受信するまで待機する（ステップＳ１−１）。
【００６９】
そして、プリンタ２０の制御部２１の受信処理手段２１１は、プッシュ配信されたコンテンツデータとコンテンツデータに付加されたメタデータとを受信すると、受信処理を実行する（ステップＳ１−２）。
【００７０】
次に、プリンタ２０の制御部２１の受信処理手段２１１は、受信したコンテンツデータとコンテンツデータに付加されたメタデータとをコンテンツ記憶部２２に格納するコンテンツ保存処理を実行する（ステップＳ１−３）。
【００７１】
コンテンツデータとコンテンツデータに付加されたメタデータがコンテンツ記憶部２２に格納されると、プリンタ２０の制御部２１のメタデータ取得手段２１２は、メタデータ取得処理を実行する（ステップＳ１−４）。そして、メタデータ取得手段２１２は、取得したメタデータを印刷管理手段２１３に供給する。
【００７２】
メタデータ取得手段２１２からメタデータが供給されると、プリンタ２０の制御部２１の印刷管理手段２１３は、取得したメタデータに含まれる自動印刷要否フラグに基づいて、自動印刷の要否についての判定処理を実行する（ステップＳ１−５）。
【００７３】
自動印刷要否フラグにおいて「否」が設定されており、自動印刷が指示されていない場合（ステップＳ１−５において「ＮＯ」の場合）、プリンタ２０の制御部２１の印刷管理手段２１３は、自動印刷処理を終了する。
【００７４】
自動印刷要否フラグにおいて「要」が設定されており、自動印刷が指示されている場合（ステップＳ１−５において「ＹＥＳ」の場合）、プリンタ２０の制御部２１の印刷管理手段２１３は、取得したメタデータに含まれるコピー可否フラグに基づいてコピーの抑止の要否を判定する判定処理を実行する（ステップＳ１−６）。
【００７５】
コピー可否フラグにおいて「コピー不可」が設定されており、コピー抑止が必要と判断された場合（ステップＳ１−６において「ＹＥＳ」の場合）、プリンタ２０の制御部２１の印刷管理手段２１３は、コンテンツデータとともに地模様パターンの印刷を設定する、地紋配置処理を実行する（ステップＳ１−７）。ここで、地模様パターンを用いたコピー抑制について説明する。大きさの異なる大小のドットで地模様を構成し、大きなドット又は小さなドットのどちらかが背景、他方を潜像文字列として、印刷対象のコンテンツデータに埋め込んでおく。そして、プリンタ２０が、この地模様が埋め込まれたコンテンツデータを紙状の媒体上に印刷する。この印刷された紙状の媒体がスキャナで読取られると（複写動作）、スキャナで読取られて取得される画像データには、小さなドットが消えて大きなドットが残り、潜像文字列として埋め込まれた文字列が浮かび上がる。これにより、例えば、複写禁止を示す旨の文字列を潜像文字列として埋め込んでおけば、画像データには複写禁止を示す旨の文字列が浮かび上がることとなり、スキャナにより読み取りや複写を抑制することが可能となる。
【００７６】
一方、コピー可否フラグにおいて「コピー可能」が設定されており、コピー抑止が不要と判断された場合（ステップＳ１−６において「ＮＯ」の場合）、プリンタ２０の制御部２１の印刷管理手段２１３は地紋配置処理（ステップＳ１−７）をスキップする。
【００７７】
次に、プリンタ２０の制御部２１の印刷管理手段２１３は、自動印刷指示処理を実行する（ステップＳ１−８）。具体的には、制御部２１の印刷管理手段２１３は、コンテンツデータとコンテンツデータに付加されているメタデータとを用いて印刷実行ジョブを生成する。印刷管理手段２１３は、生成した印刷実行ジョブを印刷実行部２７に供給する。この場合、印刷管理手段２１３は、このメタデータに含まれているページ数と印刷条件とから、印刷されるコンテンツの１部が構成される枚数（コンテンツデータの構成枚数）を算出する。すなわち、ページ数が４で、印刷条件が集約となっている場合、コンテンツデータの構成枚数は２となる。
【００７８】
更に、印刷管理手段２１３は、印刷部数メモリに記憶されたデータをリセットする。
次に、プリンタ２０は、自動印刷実行処理を実行する（ステップＳ１−９）。具体的には、プリンタ２０の印刷実行部２７が、取得した印刷実行ジョブに基づいてコンテンツデータの紙媒体への印刷を実行する。印刷実行部２７は、１枚毎の印刷状況を制御部２１の印刷管理手段２１３に通知する。
【００７９】
プリンタ２０の制御部２１の印刷管理手段２１３は、印刷実行ジョブが完了したかどうかについての判定処理を実行する（ステップＳ１−１０）。具体的には、制御部２１の印刷管理手段２１３は、印刷実行部２７から取得した印刷状況に基づいて、印刷が完了した枚数である印刷枚数とコンテンツデータの構成枚数とを比較する。
【００８０】
印刷枚数がコンテンツデータの構成枚数に達しない場合（ステップＳ１−１０において「ＮＯ」の場合）には、プリンタ２０の制御部２１の印刷管理手段２１３は、１部のコンテンツの印刷が完了していないと判断し、自動印刷の実行を継続する。
【００８１】
印刷枚数がコンテンツデータの構成枚数に達した場合（ステップＳ１−１０において「ＹＥＳ」の場合）には、プリンタ２０の制御部２１の印刷管理手段２１３は、１部のコンテンツの印刷が完了したと判断し、印刷部数カウントアップ処理を実行する（ステップＳ１−１１）。具体的には、制御部２１の印刷管理手段２１３は、印刷部数メモリに記録された値に「１」を加算する。
【００８２】
そして、プリンタ２０の制御部２１の印刷管理手段２１３は、自動印刷部数に到達したかどうかについての判定処理を実行する（ステップＳ１−１２）。具体的には、制御部２１の印刷管理手段２１３は、印刷部数メモリに記録された印刷部数と、取得したメタデータに含まれる自動印刷部数とを比較する。
【００８３】
印刷部数が自動印刷部数に到達していない場合（ステップＳ１−１２において「ＮＯ」の場合）には、プリンタ２０の制御部２１の印刷管理手段２１３は、コンテンツの印刷実行ジョブが完了していないと判断し、自動印刷の印刷実行ジョブの実行を継続する。
【００８４】
一方、印刷部数が自動印刷部数に到達した場合（ステップＳ１−１２において「ＹＥＳ」の場合）には、図６に示すように、プリンタ２０の制御部２１の印刷管理手段２１３は、コンテンツデータとこのコンテンツデータに付加されたメタデータの保存が必要かどうかについての判定処理を実行する（ステップＳ２−１）。具体的には、制御部２１の印刷管理手段２１３は、コンテンツデータに付加されたメタデータに含まれる保存要否フラグを用いて、この判定を行なう。
【００８５】
保存要否フラグにおいて「否」が設定されている場合（ステップＳ２−１において「ＮＯ」の場合）、プリンタ２０の制御部２１の印刷管理手段２１３は、コンテンツ削除処理を実行する（ステップＳ２−２）。具体的には、制御部２１の印刷管理手段２１３は、コンテンツ記憶部２２に記録されたコンテンツデータとコンテンツデータに付加されたメタデータを削除する。
【００８６】
一方、保存要否フラグにおいて「要」が設定されている場合（ステップＳ２−１において「ＹＥＳ」の場合）、プリンタ２０の制御部２１は、コンテンツ削除処理（ステップＳ２−２）をスキップし、コンテンツ記憶部２２に記録されたコンテンツデータとコンテンツデータに付加されたメタデータとを維持する。
【００８７】
そして、プリンタ２０の制御部２１は、ログデータの記録処理を実行する（ステップＳ２−３）。具体的には、制御部２１の印刷管理手段２１３は、ログ記憶部２４にログデータを記録する。このログデータには、コンテンツＩＤ及び印刷部数メモリに記録された印刷部数に関するデータを含める。
【００８８】
（手動印刷処理）
次に、手動印刷処理について、図７，８を用いて説明する。
ここでは、プリンタ２０の制御部２１は、手動印刷要求処理を実行する（ステップＳ３−１）。利用者が、プリンタ２０に格納されたコンテンツデータの印刷を希望する場合には、操作パネル２５に表示された手動印刷アイコンを選択する。ここで、手動印刷アイコンとは、手動でコンテンツを印刷する機能を開始するためのアイコンであり、操作パネル２５に表示される。この場合、制御部２１の印刷管理手段２１３は、操作パネル２５を介して、手動印刷要求を取得する。
【００８９】
次に、プリンタ２０の制御部２１は、メタデータ情報取得処理を実行する（ステップＳ３−２）。具体的には、制御部２１のメタデータ取得手段２１２は、コンテンツ記憶部２２に格納されたコンテンツデータに付加されたメタデータを取得する。そして、メタデータ取得手段２１２は、取得したメタデータを印刷管理手段２１３に供給する。
【００９０】
次に、プリンタ２０の制御部２１は、コンテンツ内容表示処理を実行する（ステップＳ３−３）。具体的には、制御部２１の印刷管理手段２１３は、ログ記憶部２４から各コンテンツＩＤに関連付けられた印刷部数を取得する。そして、印刷管理手段２１３は、取得したメタデータの印刷上限部数から印刷部数を差し引いた印刷可能部数を算出する。そして、印刷管理手段２１３は、コンテンツ一覧を生成し、操作パネル２５に出力する。このコンテンツ一覧には、メタデータから取得したコンテンツタイトル、配信日時を含める。更に、コンテンツ一覧においては、コンテンツ毎に、コンテンツ記憶部２２に格納されたコンテンツデータに対応するコンテンツアイコンを表示させる。コンテンツアイコンは、コンテンツデータに含まれていてもよいし、コンテンツデータに付加されているメタデータに含まれていてもよい。なお、このコンテンツアイコンとは、印刷可能な各コンテンツをそれぞれ表示しているアイコンであって、利用者が選択することにより印刷指示されたコンテンツを特定するためのアイコンである。
【００９１】
次に、プリンタ２０の制御部２１は、コンテンツ指定処理を実行する（ステップＳ３−４）。利用者は、操作パネル２５上に表示されたコンテンツ一覧の中で、所望のコンテンツアイコンを選択する。この場合、操作パネル２５は、選択されたコンテンツアイコンのコンテンツＩＤを制御部２１に供給する。制御部２１の印刷管理手段２１３は、操作パネル２５上に、選択されたコンテンツの印刷条件設定画面を出力する。利用者は、この印刷条件設定画面を用いて、所望の印刷部数を設定する。この場合、印刷管理手段２１３は、この印刷条件設定画面を介して、利用者が設定した印刷指示部数を取得する。
【００９２】
次に、プリンタ２０の制御部２１は、メタデータ取得処理を実行する（ステップＳ３−５）。具体的には、制御部２１の印刷管理手段２１３は、メタデータ取得手段２１２に対して、指定されたコンテンツＩＤを供給する。この場合、メタデータ取得手段２１２は、指定されたコンテンツＩＤに対応するコンテンツデータに付加されているメタデータを取得し、印刷管理手段２１３に供給する。そして、印刷管理手段２１３は、指定されたコンテンツＩＤに対応するコンテンツデータに付加されているメタデータからコピー可否フラグ、印刷条件を取得する。
【００９３】
そして、プリンタ２０の制御部２１は、コピー抑止かどうかについての判定処理を実行する（ステップＳ３−６）。具体的には、制御部２１の印刷管理手段２１３は、メタデータから取得したコピー可否フラグに基づいて判定する。
【００９４】
コピー可否フラグにおいて「コピー不可」が設定されており、コピー抑止が必要な場合（ステップＳ３−６において「ＹＥＳ」の場合）、プリンタ２０の制御部２１は、地紋配置処理を実行する（ステップＳ３−７）。具体的には、制御部２１の印刷管理手段２１３は、ステップＳ１−７と同様に、コンテンツデータとともに地模様パターンの印刷を設定する。
【００９５】
一方、コピー可否フラグにおいて「コピー可能」が設定されており、コピー抑止が不要と判断された場合（ステップＳ３−６において「ＮＯ」の場合）、プリンタ２０の制御部２１の印刷管理手段２１３は地紋配置処理（ステップＳ３−７）をスキップする。
【００９６】
次に、プリンタ２０の制御部２１は、手動印刷指示処理を実行する（ステップＳ３−８）。具体的には、制御部２１の印刷管理手段２１３は、コンテンツデータとコンテンツデータに付加されているメタデータとを用いて印刷実行ジョブを生成する。そして、印刷管理手段２１３は、生成した印刷実行ジョブを印刷実行部２７に供給する。更に、印刷管理手段２１３は、印刷部数メモリに記憶されたデータをリセットする。
【００９７】
次に、図８に示すように、プリンタ２０は、手動印刷実行処理を実行する（ステップＳ４−１）。具体的には、プリンタ２０の印刷実行部２７が、取得した印刷実行ジョブに基づいてコンテンツデータの紙媒体への印刷を実行する。そして、印刷実行部２７は、１枚毎の印刷状況を制御部２１の印刷管理手段２１３に通知する。
【００９８】
プリンタ２０の制御部２１の印刷管理手段２１３は、印刷実行ジョブが完了したかどうかについての判定処理を実行する（ステップＳ４−２）。具体的には、制御部２１の印刷管理手段２１３は、印刷実行部２７から取得した印刷状況に基づいて、印刷が完了した枚数である印刷枚数とコンテンツデータの構成枚数とを比較する。
【００９９】
印刷枚数がコンテンツデータの構成枚数に達しない場合（ステップＳ４−２において「ＮＯ」の場合）には、プリンタ２０の制御部２１の印刷管理手段２１３は、１部のコンテンツの印刷が完了していないと判断し、手動印刷の実行を継続する。
【０１００】
印刷枚数がコンテンツデータの構成枚数に達した場合（ステップＳ４−２において「ＹＥＳ」の場合）には、プリンタ２０の制御部２１の印刷管理手段２１３は、１部のコンテンツの印刷が完了したと判断し、印刷部数カウントアップ処理を実行する（ステップＳ４−３）。具体的には、制御部２１の印刷管理手段２１３は、印刷部数メモリに記録された値に「１」を加算する。
【０１０１】
そして、プリンタ２０の制御部２１の印刷管理手段２１３は、印刷上限部数に到達したかどうかについての判定処理を実行する（ステップＳ４−４）。具体的には、制御部２１の印刷管理手段２１３は、ログ記憶部２４に記録された印刷部数と印刷上限部数とを比較する。
【０１０２】
印刷部数が印刷上限部数に到達した場合（ステップＳ４−４において「ＹＥＳ」の場合）には、プリンタ２０の制御部２１は、印刷上限に達した旨を操作パネル２５に表示する表示処理を実行する（ステップＳ４−５）。具体的には、制御部２１の印刷管理手段２１３は、操作パネル２５に、印刷上限部数に到達した旨を示すメッセージを出力する。
【０１０３】
次に、プリンタ２０の制御部２１は、コンテンツ削除処理を実行する（ステップＳ４−６）。具体的には、制御部２１のコンテンツ管理手段２１５は、このコンテンツデータとコンテンツデータに付加されたメタデータをコンテンツ記憶部２２から削除する。
【０１０４】
そして、プリンタ２０の制御部２１は、ログ記録処理を実行する（ステップＳ４−８）。具体的には、制御部２１の印刷管理手段２１３は、ログ記憶部２４にログデータを記録する。ここでは、ログ記憶部２４において、コンテンツＩＤに関連付けられて記録された印刷部数に、印刷部数メモリに記録された値を加算する。
【０１０５】
一方、印刷部数が印刷上限部数に到達していない場合（ステップＳ４−４において「ＮＯ」の場合）、プリンタ２０の制御部２１は、印刷指示部数に到達したかどうかについての判定処理を実行する（ステップＳ４−７）。具体的には、制御部２１の印刷管理手段２１３は、印刷部数メモリに記録された印刷部数と印刷指示部数とを比較する。
【０１０６】
印刷部数が印刷指示部数に到達していない場合（ステップＳ４−７において「ＮＯ」の場合）には、プリンタ２０の制御部２１は手動印刷の実行（ステップＳ４−１）を継続する。
【０１０７】
一方、印刷部数が印刷指示部数に到達した場合（ステップＳ４−７において「ＹＥＳ」の場合）には、プリンタ２０の制御部２１は、上述したようにログ記録処理を実行する（ステップＳ４−８）。
【０１０８】
（ログ送信処理）
次に、ログ送信処理について、図９を用いて説明する。このログ送信処理は、プリンタ２０において予め設定されたログ送信時刻に達した場合に実行される。
【０１０９】
ここでは、プリンタ２０の制御部２１のログ管理手段２１４は、システムタイマから現在時刻を取得し、現在時刻とログ送信時刻とを比較する。
次に、プリンタ２０の制御部２１のログ管理手段２１４は、上記比較の結果に基づいて、ログ送信時刻が経過したかどうかについての判定処理を実行する（ステップＳ５−１）。具体的には、制御部２１のログ管理手段２１４は、現在時刻がログ送信時刻を経過したかどうかを判定する。
【０１１０】
ログ送信時刻が経過していない場合（ステップＳ５−１において「ＮＯ」の場合）、プリンタ２０の制御部２１は現在時刻の取得と、現時時刻とログ送信時刻の比較を継続する。
【０１１１】
一方、ログ送信時刻が経過した場合（ステップＳ５−１において「ＹＥＳ」の場合）、プリンタ２０の制御部２１は、ログデータをログ管理サーバ３０に送信する送信処理を実行する（ステップＳ５−２）。具体的には、制御部２１のログ管理手段２１４は、ログ記憶部２４からログデータを取得する。そして、ログ管理手段２１４は、このログデータに、プリンタ２０の機器ＩＤに関するデータを付加して、インターネットを介して、ログ管理サーバ３０に送信する。ここで、送信するログデータには、コンテンツＩＤごとに印刷された部数に関するデータである。そして、ログ管理サーバ３０は、印刷履歴データ記憶部３２に記録された印刷履歴テーブル３２０を、受信したログデータを用いて更新する。
【０１１２】
（保存管理処理）
次に、保存管理処理について、図１０を用いて説明する。この保存管理処理は、プリンタ２０において定期的に実行される。本実施形態においては、例えば、システムタイマの日付が変更した場合に実行される。
【０１１３】
この保存管理処理は、コンテンツ記憶部２２に格納されたコンテンツデータ毎に、順次、実行される。
ここでは、プリンタ２０の制御部２１は、保存期限情報の取得処理を実行する（ステップＳ６−１）。具体的には、制御部２１のコンテンツ管理手段２１５は、処理対象のコンテンツデータのコンテンツＩＤをメタデータ取得手段２１２に指示する。この場合、メタデータ取得手段２１２は、コンテンツデータに付加されているメタデータから保存期限を取得する。そして、メタデータ取得手段２１２は、取得した保存期限をコンテンツ管理手段２１５に提供する。
【０１１４】
次に、プリンタ２０の制御部２１は、保存期限が経過しているかどうかについての判定処理を実行する（ステップＳ６−２）。具体的には、制御部２１のコンテンツ管理手段２１５は、システムタイマから現在日付を取得し、保存期限と現在日付とを比較する。
【０１１５】
現在日付が保存期限を経過している場合（ステップＳ６−２において「ＹＥＳ」の場合）、プリンタ２０の制御部２１は、コンテンツ削除処理を実行する（ステップＳ６−３）。具体的には、制御部２１のコンテンツ管理手段２１５は、保存期限を経過したコンテンツデータとコンテンツデータに付加されたメタデータをコンテンツ記憶部２２から削除する。
【０１１６】
そして、プリンタ２０の制御部２１は、コンテンツ記憶部２２に記録されたすべてのコンテンツデータについて以上の処理を繰り返す。
（サービス利用料金徴収処理）
次に、サービス利用料金徴収処理を説明する。
【０１１７】
課金管理サーバ４０は、予め定められた時期に、ログ管理サーバ３０から印刷履歴データを取得する。課金管理サーバ４０は、印刷履歴データの機器ＩＤに対応する請求先を契約テーブル４２０から取得する。そして、課金管理サーバ４０は、取得した印刷履歴データに基づいて、サービス利用料金データ記憶部４４に、請求先毎に、機器ＩＤ、コンテンツＩＤ、印刷部数を記録する。
【０１１８】
次に、課金管理サーバ４０は、契約テーブル記憶部４２に記録された契約テーブル４２０、価格テーブル記憶部４３に記録された価格テーブル４３０に基づいて、印刷部数に対するコンテンツ配信のサービス利用料金を算出する。そして、課金管理サーバ４０は、サービス利用料金データ記憶部４４にサービス利用料金を記録する。このサービス利用料金は、各プリンタ２０の保守契約の代金とともに回収されることとしてもよい。
【０１１９】
以上、本実施形態によれば、以下に示す効果を得ることができる。
（１）  上記実施形態では、プリンタ２０は自動印刷処理を実行する。ここでは、プリンタ２０の制御部２１は、プッシュ配信されたコンテンツの受信処理を実行する（ステップＳ１−２）。そして、自動印刷要否フラグにおいて「要」が設定されており、自動印刷が指示されている場合（ステップＳ１−５において「ＹＥＳ」の場合）、プリンタ２０の制御部２１は、プリンタ２０の制御部２１は、自動印刷指示処理を実行する（ステップＳ１−８）。これにより、利用者は、配信されたコンテンツを紙媒体で入手することができる。例えば、新聞配達と同様に、プリンタ２０を用いて印刷媒体を取得することができる。
【０１２０】
一方、自動印刷要否フラグにおいて「否」が設定されており、自動印刷が指示されていない場合（ステップＳ１−５において「ＮＯ」の場合）、プリンタ２０の制御部２１は自動印刷処理を終了する。この場合には、自動印刷を希望しない場合には、手動により印刷を行なうことができる。
【０１２１】
（２）  上記実施形態では、プリンタ２０は、自動印刷実施処理を実行する（ステップＳ１−９）。印刷枚数がコンテンツの構成枚数に達することにより、１部の印刷を完了した場合（ステップＳ１−１０において「ＹＥＳ」の場合）には、プリンタ２０の制御部２１は、印刷部数カウントアップ処理を実行する（ステップＳ１−１１）。そして、印刷部数が自動印刷部数に到達していない場合（ステップＳ１−１２において「ＮＯ」の場合）には、プリンタ２０の制御部２１は自動印刷の実行を継続する。これにより、メタデータにおいて設定された自動印刷部数を出力することができる。
【０１２２】
（３）  上記実施形態では、印刷部数が自動印刷部数に到達した場合（ステップＳ１−１２において「ＹＥＳ」の場合）には、プリンタ２０の制御部２１は、保存が必要かどうかについての判定処理を実行する（ステップＳ２−１）。保存要否フラグにおいて「否」が設定されている場合（ステップＳ２−１において「ＮＯ」の場合）、プリンタ２０の制御部２１は、コンテンツ削除処理を実行する（ステップＳ２−２）。これにより、プリンタ２０のメモリ容量を有効活用することができる。一方、保存要否フラグにおいて「要」が設定されている場合（ステップＳ２−１において「ＹＥＳ」の場合）、プリンタ２０の制御部２１は、コンテンツ記憶部２２に記録されたコンテンツデータを維持する。これにより、手動により、コンテンツデータを印刷することができる。
【０１２３】
（４）  上記実施形態では、手動印刷処理においては、メタデータ情報取得処理（ステップＳ３−２）、コンテンツ内容表示処理（ステップＳ３−３）を実行する。これにより、コンテンツ記憶部２２に記録されたコンテンツデータを指定して、再度印刷することができる。
【０１２４】
（５）  上記実施形態では、プリンタ２０は、手動印刷実施処理を実行する（ステップＳ４−１）。印刷枚数がコンテンツの構成枚数に達することにより、１部の印刷を完了した場合（ステップＳ４−２において「ＹＥＳ」の場合）には、プリンタ２０の制御部２１は、印刷部数カウントアップ処理を実行する（ステップＳ４−３）。そして、印刷部数が印刷上限部数に到達した場合（ステップＳ４−４において「ＹＥＳ」の場合）には、プリンタ２０の制御部２１は、印刷上限に達したことの表示処理（ステップＳ４−５）、ファイル削除処理（ステップＳ４−６）を実行する。これにより、利用者との契約に基づいて、印刷部数を制御することができる。そして、印刷上限部数に到達した場合には、コンテンツデータを削除することにより、記憶容量を有効活用することができる。
【０１２５】
（６）  上記実施形態では、印刷枚数がコンテンツの構成枚数に達しておらず印刷を完了していない場合（ステップＳ１−１０において「ＮＯ」の場合）には、プリンタ２０の制御部２１は自動印刷の実行を継続する。また、印刷枚数がコンテンツの構成枚数に達しておらず印刷を完了していない場合（ステップＳ４−２において「ＮＯ」の場合）には、プリンタ２０の制御部２１は手動印刷の実行を継続する。これにより、確実に構成枚数が揃ったコンテンツを印刷することができる。
【０１２６】
（７）  上記実施形態では、コピー可否フラグにおいて「コピー不可」が設定されており、コピー抑止が必要な場合（ステップＳ１−６，Ｓ３−６において「ＹＥＳ」の場合）、プリンタ２０の制御部２１は、地紋配置処理を実行する（ステップＳ１−７，Ｓ３−７）。これにより、印刷されたコンテンツの複製を抑止することができ、的確なコンテンツ管理を行なうことができる。
【０１２７】
（８）  上記実施形態では、プリンタ２０はログ送信処理を実行する。これにより、印刷実績に基づいて的確な課金を行なうことができる。更に、ログ送信処理においては、ログデータは予め定められた送信時刻にまとめて送信される。これにより、通信負荷やシステム負荷を軽減することができる。
【０１２８】
（９）  上記実施形態では、プリンタ２０は保存管理処理を実行することにより、保存期限を経過したコンテンツデータを削除する。これにより、古いコンテンツを削除し、記憶容量の有効活用を図ることができる。
【０１２９】
（１０）  上記実施形態では、プリンタ２０は、自動印刷部数が到達した（ステップＳ１−１２において「ＹＥＳ」）後に、ログデータの記録処理を実行する（ステップＳ２−
３）。自動印刷を行なう場合、印刷の途中でプリンタ２０の不具合が生じる可能性がある。このような場合であっても、自動で印刷する部数のコンテンツを印刷した場合に課金を行なうことができるので、安全・確実に課金を行なうことができる。
【０１３０】
なお、上記実施形態は、以下の態様に変更してもよい。
・  上記実施形態では、保存管理処理において、現在日付が保存期限を経過している場合（ステップＳ６−２において「ＹＥＳ」の場合）、プリンタ２０の制御部２１は、ファイル削除処理を実行する（ステップＳ６−３）。これに加えて、コンテンツの受信状況に基づいて保存管理処理を行なうようにしてもよい。この場合には、コンテンツ配信サーバ１０において、メタデータに後続コンテンツ情報を含めておく。この後続コンテンツ情報には、将来の所定期間内に送信されるコンテンツデータ（後続コンテンツデータ）の容量情報を含めておく。
【０１３１】
そして、プリンタ２０は、図１１に示す保存管理処理を実行する。
プリンタ２０の制御部２１は、後続コンテンツ情報の取得処理を実行する（ステップＳ７−１）。具体的には、制御部２１のメタデータ取得手段２１２は、受信したコンテンツデータから、後続コンテンツ情報を取得する。そして、メタデータ取得手段２１２は、取得した後続コンテンツ情報をコンテンツ管理手段２１５に提供する。
【０１３２】
次に、プリンタ２０の制御部２１は、残容量の算出処理を実行する（ステップＳ７−２）。具体的には、制御部２１のコンテンツ管理手段２１５は、コンテンツ記憶部２２における残容量を算出する。この場合、コンテンツ管理手段２１５は、所定期間内に保存期限が経過するコンテンツデータの容量を含めて残容量を算出するようにしてもよい。
【０１３３】
次に、プリンタ２０の制御部２１は、残容量が不足しているかどうかについての判定処理を実行する（ステップＳ７−３）。具体的には、制御部２１のコンテンツ管理手段２１５は、後続コンテンツ情報に含まれる容量とコンテンツ記憶部２２の残容量とを比較する。
【０１３４】
残容量が後続コンテンツの容量を超えており、残容量が不足していないと判定した場合（ステップＳ７−３において「ＮＯ」の場合）、プリンタ２０の制御部２１は、保存管理処理を終了する。
【０１３５】
一方、後続コンテンツの容量が残容量を超えており、残容量が不足すると判定した場合（ステップＳ７−３において「ＹＥＳ」の場合）、プリンタ２０の制御部２１は、古いコンテンツの圧縮処理を実行する（ステップＳ７−４）。具体的には、制御部２１のコンテンツ管理手段２１５は、コンテンツ記憶部２２に記憶され、今回の保存管理処理において圧縮が行なわれていないコンテンツデータであって、配信日時が最も古いコンテンツデータを特定する。そして、所定の圧縮率によりファイルの圧縮処理を実行する。そして、コンテンツ管理手段２１５は、残容量の算出処理（ステップＳ７−２）に戻る。残容量が不足している場合には、ステップＳ７−４において、配信日時が早い順番で、順次、圧縮処理を行なう。
【０１３６】
これにより、将来、配信されるコンテンツの予測容量に基づいて、このコンテンツを受け入れるための容量を確保しておくことができる。なお、コンテンツの記憶容量を削減する方法は、圧縮処理に限られるものではなく、ファイルの削除を行なったり、圧縮や削除を併用したりすることが可能である。また、配信日時が早い順番で、圧縮率を高くして、記憶容量を確保するようにしてもよい。
【０１３７】
・  上記実施形態では、保存管理処理において、現在日付が保存期限を経過している場
合（ステップＳ６−２において「ＹＥＳ」の場合）、プリンタ２０の制御部２１は、ファイル削除処理を実行する（ステップＳ６−３）。これに加えて、コンテンツの受信状況に基づいてコンテンツデータの管理を行なうようにしてもよい。この場合には、コンテンツ配信サーバ１０において、新たに配信するコンテンツデータのメタデータに先行コンテンツ情報を含めておく。この先行コンテンツ情報には、新たに配信するコンテンツに関連するコンテンツであって、先に配信されたコンテンツを特定するための先行コンテンツＩＤを含めておく。なお、この先行コンテンツＩＤにはコンテンツ種別が含まれる。更に、プリンタ２０のメモリには、先行コンテンツの取扱を決定するための取扱フラグを記憶させておく。この取扱フラグには、例えば「削除」や「維持」等を用いる。
【０１３８】
そして、プリンタ２０は、図１２に示す保存管理処理を実行する。
プリンタ２０の制御部２１は、先行コンテンツ情報の取得処理を実行する（ステップＳ８−１）。具体的には、制御部２１のメタデータ取得手段２１２は、受信したコンテンツデータから、先行コンテンツ情報（先行コンテンツＩＤ）を取得する。そして、メタデータ取得手段２１２は、取得した先行コンテンツＩＤをコンテンツ管理手段２１５に提供する。
【０１３９】
次に、プリンタ２０の制御部２１は、先行コンテンツが不要かどうかについての判定処理を実行する（ステップＳ８−２）。具体的には、制御部２１のコンテンツ管理手段２１５は、プリンタ２０のメモリに設定された先行コンテンツの取扱フラグを取得する。
【０１４０】
取扱フラグにおいて先行コンテンツの「削除」が指定されている場合には、プリンタ２０の制御部２１は、先行コンテンツの削除処理を実行する（ステップＳ８−３）。具体的には、制御部２１のコンテンツ管理手段２１５は、先行コンテンツＩＤが設定されたコンテンツデータをコンテンツ記憶部２２から削除する。これにより、例えば、号外のように状況によって内容が変化する先行情報を削除して、記憶容量を軽減することができる。
【０１４１】
・  上記実施形態では、コンテンツデータを受信した場合に、自動印刷処理を実行する。これに代えて、予め定められた時刻になった場合に自動印刷処理を実行するようにしてもよい。この場合には、プリンタ２０の制御部２１が、自動印刷時刻に関するデータを取得する。この自動印刷時刻データは、制御部２１のメモリに予め保持させておく。そして、制御部２１は、自動印刷時刻に達した場合に、自動印刷処理を実行する。これにより、利用者にとって都合の良い時間帯に自動印刷を行なうことができる。
【０１４２】
また、自動印刷時刻に関するデータを、コンテンツデータのメタデータに保持させておくことも可能である。この場合、プリンタ２０の制御部２１は、コンテンツデータに格納された自動印刷時刻に基づいて印刷処理を実行する。これにより、コンテンツの内容に応じて自動印刷を行なう時刻を設定することができる。
【０１４３】
・  上記実施形態では、広告に応じて料金を変更してもよい。具体的には、コンテンツ配信サーバ１０は、プリンタ２０に配信するコンテンツデータに、広告情報を挿入する。そして、挿入した広告情報に対応する広告掲載料金を取得する。この広告掲載料金に基づいて、利用者に対する課金を軽減する。
【符号の説明】
【０１４４】
１０…コンテンツ配信サーバ、２０…プリンタ、２１…制御部、２１１…受信処理手段、２１２…メタデータ取得手段、２１３…印刷管理手段、２１４…ログ管理手段、２１５…ファイル管理手段、２２…コンテンツ記憶部、２４…ログ記憶部、２５…操作パネル、２７…印刷実行部、３０…ログ管理サーバ、１２…契約テーブル記憶部、１３…配信テーブル記憶部、３０…ログ管理サーバ、３２…印刷履歴データ記憶部、４０…課金管理サー
バ、４２…契約テーブル記憶部、４３…価格テーブル記憶部、４４…サービス利用料金データ記憶部。
【先行技術文献】
【特許文献】
【０１４５】
【特許文献１】特開２００４−４６３４３号公報（第１頁、図１）
【特許文献２】特開２００２−３０４５３４号公報（第１頁、図８）
【特許文献３】特開平１１−３１３１９１号公報（第１頁、図２）
【図１】
0005468829.tif 000002
【図２】
0005468829.tif 000003
【図３】
0005468829.tif 000004
【図４】
0005468829.tif 000005
【図５】
0005468829.tif 000006
【図６】
0005468829.tif 000007
【図７】
0005468829.tif 000008
【図８】
0005468829.tif 000009
【図９】
0005468829.tif 000010
【図１０】
0005468829.tif 000011
【図１１】
0005468829.tif 000012
【図１２】
0005468829.tif 000013